(57)【要約】【課題】簡単な構成で確実に商品取出口からの盗難を防止できる自動販売機を提供する。【解決手段】商品コラム下部前方の商品通路７に突出して商品通路７を閉鎖する防盗板８を商品通路７の幅方向に間隔を置いて複数設け、各防盗板８はバネ付勢されて商品通路７に突出し商品通路７を閉鎖する起立姿勢と、商品取出口の方向へ倒れることで商品通路７から退避して商品通路７を開放する退避姿勢との間で互いに干渉せず独立して回動可能で、販売待機時にはそれぞれ他の防盗板８と干渉せず独立して商品通路７に突出し、いずれか一つでも突出すると商品通路７が閉鎖され商品Ｓが通過できないようにする。【選択図】        図２
2004326619.tif 000002
【特許請求の範囲】
【請求項１】
商品を収納する商品収納部と、該商品収納部から商品を投出する商品投出部と、商品が払い出される商品取出口と、前記商品収納部から前記商品取出口へ商品を導く商品通路と、該商品通路に突出可能に設けられた防盗部材とを備える自動販売機であって、前記防盗部材が複数個設けられ、少なくとも一つの防盗部材が他の防盗部材の内の少なくとも一つと干渉せずに突出可能で、少なくとも一つの防盗部材が突出することで前記商品通路が閉鎖されることを特徴とする自動販売機。
【請求項２】
前記複数の防盗部材は前記商品通路の幅方向に並んで設けられていることを特徴とする請求項１に記載の自動販売機。
【発明の詳細な説明】
【０００１】
【発明の属する技術分野】
本発明は自動販売機に関し、特にその防盗機構に関する。
【０００２】
【従来の技術】
自動販売機の商品取出口から直接手を入れて商品を抜き取る手口での盗難を防止する防盗機構として、例えば、商品取出口上部の商品通路を閉塞可能な遮蔽板を設け、その遮蔽板を商品取出口に内方へのみ回動自在に設けられた取出口カバーと連結し、取出口カバーが開かれると遮蔽板が商品通路を閉塞して手を挿入できないようにしたもの（例えば、特許文献１参照。）が従来から知られている。
【０００３】
【特許文献１】
実開平２−１１１８６９号公報
【０００４】
【発明が解決しようとする課題】
しかしながら、上記従来の防盗機構では、取出口カバーが破壊されるだけで遮蔽板の閉塞機能が失われて商品通路が開放されてしまい、盗難を防止できなくなるという問題があり、また、取出口カバーと遮蔽板とを連動させる連動機構が必要で、構成が複雑になるという問題があった。
【０００５】
本発明は、こうした問題に鑑みてなされたもので、簡単な構成で確実に商品取出口からの盗難を防止できる自動販売機を提供することを目的とする。
【０００６】
【課題を解決するための手段】
本発明の自動販売機は、商品を収納する商品収納部と、該商品収納部から商品を投出する商品投出部と、商品が払い出される商品取出口と、前記商品収納部から前記商品取出口へ商品を導く商品通路と、該商品通路に突出可能に設けられた防盗部材とを備える自動販売機であって、前記防盗部材が複数個設けられ、少なくとも一つの防盗部材が他の防盗部材の内の少なくとも一つと干渉せずに突出可能で、少なくとも一つの防盗部材が突出することで前記商品通路が閉鎖されるよう構成するものである。複数の防盗部材は例えば商品通路の幅方向に並んで設けられているものであってよい。
【０００７】
このように商品収納部と商品取出口との間の商品通路に突出可能に複数個の防盗部材を例えば商品通路の幅方向に間隔を置いて設け、少なくとも一つの防盗部材は他の防盗部材と干渉せず独立して突出可能で、少なくとも一つの防盗部材が突出することで商品通路が閉鎖されるよう構成することにより、商品取出口から手が挿し込まれて防盗部材が押し開かれても、互いに干渉せず独立して突出可能な少なくとも二つの防盗部材が両方とも破壊等によって開かれたりしない限りは商品通路は完全には開かないようにでき、簡単な構成で確実に商品取出口からの盗難を防止することができる。
【０００８】
【発明の実施の形態】
以下、本発明の実施の形態を図面に基づいて説明する。
【０００９】
図１〜３は本発明の実施の形態の一例の自動販売機を示している。図１は自動販売機の下部を縦断面にて示す模式図、図２は商品通路内部を正面視にて示す模式図、図３は防盗機構の動作説明図（ａ）、（ｂ）、（ｃ）である。
【００１０】
この実施の形態の自動販売機は、自動販売機本体１の前面に扉体２が設けられたもので、図示しないが扉体２の上部には商品見本が陳列される商品陳列部が設けられ、商品陳列部の下方に商品を選択する商品選択釦が設けられている。そして、扉体２の下部には商品が払い出される商品取出口３が設けられ、商品取出口３には商品取出口３を覆う開閉自在な商品取出口カバー４が設けられている。
【００１１】
また、自動販売機本体１の内部には、販売する商品Ｓを上下方向に積み重ねて収納する商品収納部としての商品コラム５が複数列設けられ、各商品コラム５の下方には、商品コラム５に収納されている商品を水平方向前方へ投出する商品投出部としての投出ユニット６が設けられている。
【００１２】
商品取出口３は、各商品収納コラム５の最下部前方に位置している。そして、自動販売機本体１と扉体２には、各商品コラム５と各商品取出口３の間に、販売される商品の幅よりもやや大きい幅で、投出ユニット６により商品コラム５から投出される商品Ｓを水平方向前方の商品取出口３へ導くための商品通路７が設けられている。
【００１３】
そして、自動販売機本体１の各商品コラム５の下部前方位置には、商品通路７に突出して商品が通過できないように商品通路７を閉鎖する防盗部材としての防盗板８が、各商品通路７の上面側に三つ、下面側に二つとして、それら上面側三つと下面側二つの防盗板８が商品通路７の幅方向に間隔を置いて交互に並ぶように設けられている。
【００１４】
各防盗板８は、それぞれ一端が回動可能に軸支されて、商品通路７の上下面に対し略垂直となって商品通路７に突出し商品通路７を閉鎖する起立姿勢と、商品取出口３の方向へ倒れることで商品通路７から退避して商品通路７を開放する退避姿勢との間で、防盗板８毎に他の防盗板８と干渉せずそれぞれ独立して回動可能とされ、且つ防盗板８毎にそれぞれを独立して起立方向に付勢するようバネ部材９が取り付けられて、それぞれが独立して商品通路７を閉鎖でき、販売待機時にはそれぞれが起立姿勢を保ち、それぞれが独立して商品通路７を閉鎖できるようになっている。
【００１５】
なお、防盗板８のそれぞれに、販売待機時に防盗板８が退避姿勢となるのを防止するためのロック機構を設け、投出ユニット６の動作によってロック機構が解除されることにより防盗板８が退避可能となるようにしてもよい。
【００１６】
この自動販売機は、商品販売時には、顧客によって商品が選択されることにより、図３の（ａ）に示すように、その選択された商品が収納された商品コラム５の最下部の商品Ｓを商品取出口３の方向へ押し出すよう投出ユニット６が投出動作を開始する。このとき、防盗板８は商品通路７内に起立して商品通路７を閉鎖している。
【００１７】
そして、投出ユニット６によって押し出された商品Ｓは、商品通路７内に起立して商品通路７を閉鎖している防盗板８を商品取出口３の方向へ押し、それにより、図３の（ｂ）に示すように、防盗板８は回動して商品取出口３の方向へ倒れ、退避姿勢となって商品通路７を開放する。そして、商品Ｓは防盗板８を押し倒して退避状態にしたまま投出ユニット６によってさらに押し出され、商品取出口３へ払い出される。
【００１８】
そして、図３の（ｃ）に示すように、商品取出口３に払い出された商品Ｓが顧客により取り出されると、商品Ｓにより押し倒されて退避姿勢となっていた防盗板８は、バネ部材９の付勢力で回動して起立状態に戻り、再び商品通路７を閉鎖する。
【００１９】
この自動販売機では、防盗板８は、それぞれ他の防盗板８と干渉せず独立して商品通路７に突出可能で、上下合わせて五つの防盗板８のいずれか一つでも突出すると、商品通路７が閉鎖され商品Ｓが通過できない。そのため、商品取出口３から手が入れて商品コラム５内の商品Ｓを抜き取ろうとしても、防盗板８が起立姿勢で商品通路７を閉鎖しているので、商品Ｓを抜き取ることはできず、商品Ｓの抜き取りを防止することができる。また、防盗板８が破壊されて開かれた場合でも、全ての防盗板８が開かれない限り商品通路７は完全には開かないので、商品Ｓを抜き取ることはできない。
【００２０】
なお、図示の例では上下合わせて五つの防盗板８をそれぞれ独立して回動可能としているが、五つの防盗板８のうちの少なくとも一つの防盗板８が他の防盗板８と干渉せず独立して商品通路７に突出可能で、互いに干渉せず独立して突出可能な防盗板８のいずれかが突出すると商品通路７が閉鎖され商品Ｓが通過できないようにすることもできる。
【００２１】
例えば、商品通路７上面側の三つの防盗板８が相互に連動して回動し、商品通路７下面側の二つの防盗板８が相互に連動して回動し、上面側の防盗板８と下面側の防盗板８はそれぞれ干渉せずに独立して回動して、それぞれ独立して商品通路７を閉鎖できるようにしてもよい。
【００２２】
また、図示の例では、商品通路７上面側の防盗板８が三つ、下面側の防盗板８が二つで、上下一つずつ交互となるように配置しているが、上下の防盗板８の数および配置はこれに限定されるものではなく、例えば上面側が二つ、下面側が一つとか、上面側が五つ、下面側が三つとか、上下二つずつ交互となる配置とか、様々な態様が可能である。
【００２３】
また、防盗板８は商品通路７の上面側と下面側とに設ける以外に、商品通路７の側面に設けてもよく、また、上面側あるいは下面側の一方にのみに設けるようにしてもよい。
【００２４】
また、防盗板８は、図示の例のように回動により商品通路７を閉鎖する起立姿勢と商品通路７を開く退避姿勢となるよう構成する以外にも、例えば上下動作により突出・退避して商品通路７を閉鎖・開放するよう構成するなど、様々な構成が可能である。
【００２５】
また、上記実施の形態の自動販売機は複数種類の商品を販売するもので、商品収納コラム５を複数列を有し、顧客が商品選択釦により選択した商品を払い出すが、本発明は１種類の商品だけを販売する自動販売機に適用することもできる。
【００２６】
また、上記実施の形態の防盗板８はバネ部材９により起立方向に付勢することにより販売待機時に起立姿勢を保ち、投出される商品Ｓに押し倒されて商品通路７を開くようにしたものであるが、防盗板８はまた、投出ユニットに連動してカム等で自動的に開閉するよう構成してもよい。
【００２７】
また、上記実施の形態の自動販売機は、商品取出口３が商品収納コラム５の最下部前方に位置し、商品コラム５から投出される商品が投出ユニット６によりそのまま水平方向に商品取出口３へ導かれるものであるが、本発明は、商品収納コラムから投出された商品が一旦落下し、その落下した商品を商品取出口から手で取り出すような自動販売機にも適用することができる。
【００２８】
【発明の効果】
以上の説明から明らかなように、本発明の自動販売機は、商品収納部と商品取出口との間の商品通路に突出可能に複数個の防盗部材を例えば商品通路の幅方向に並んで設け、少なくとも一つの防盗部材は他の防盗部材の内の少なくとも一つと干渉せずに突出可能で、少なくとも一つの防盗部材が突出することで商品通路が閉鎖されるよう構成することにより、商品取出口から手が挿し込まれて防盗部材が開かれても、互いに干渉せず独立して突出可能な少なくとも二つの防盗部材が両方とも破壊等によって開かれたりしない限りは商品通路は完全には開かないようにでき、簡単な構成で確実に商品取出口からの盗難を防止することができる。
【図面の簡単な説明】
【図１】本発明の実施の形態の自動販売機の下部を縦断面にて示す模式図である。
【図２】図１に示す自動販売機の商品通路内部を正面視にて示す模式図である。
【図３】図１に示す自動販売機の防盗機構の動作説明図（ａ）、（ｂ）、（ｃ）である。
【符号の説明】
１  自動販売機本体
２  扉体
３  商品取出口
４  商品取出口カバー
５  商品コラム
６  投出ユニット
７  商品通路
８  防盗板
９  バネ部材
Ｓ  商品
【図１】
2004326619.tif 000003
【図２】
2004326619.tif 000004
【図３】
2004326619.tif 000005